(57)【要約】      （修正有）【課題】目的物を内装材に取り付けるときに内装材に大きな傷を作ることなく、ピンやステープル等の細い針を打ち込む作業が容易にでき、取り付け強度を増強できる物品を提供する。【解決手段】１本の木質材２と木質材２に結着する２本以上のテープ１により構成される物品で、木質材の長さ方向に対して直角に十字を切るようにテープ１を木質材２の１面に間隔を開けて配置し、木質材２とテープ１が交差する箇所をタッカー針等で結着固定し、テープ１の全長が内装材に接触するように設置箇所である内装材の表面に密着させ、テープ１の任意の箇所をピンまたはステープル等で内装材に固定することにより内装材に固定する。【選択図】図１
0003197591.tif 000002
【実用新案登録請求の範囲】
【請求項１】
１本の木質材と木質材に結着する２本以上のテープにより構成される物品で、木質材の長さ方向に対して直角に十字を切るようにテープを木質材の１面に間隔を開けて配置し、木質材とテープが交差する箇所をタッカー針等で結着固定し、テープの全長が内装材に接触するように設置箇所である内装材の表面に密着させ、テープの任意の箇所をピンまたはステープル等で内装材に固定することにより内装材に固定する物品。
【請求項２】
１本の木質材と木質材より大きな表面積を有し木質材に結着する１枚のシートにより構成される物品で、シートの中央に木質材を配置し、木質材とシートとが重なる箇所をタッカー針等で結着固定し、シートの全面が内装材に接触するように設置箇所である内装材の表面に密着させ、シートの任意の箇所をピンまたはステープル等で内装材に固定することにより内装材に固定する物品。
【考案の詳細な説明】
【技術分野】
【０００１】本考案は目的物を内装材に取り付ける物品に関する。
【背景技術】
【０００２】  石膏ボード壁等に目的物を内装材に取り付けようとする場合、通常ネジクギや接着材等の強力な固定具を使うことはできない。強力な固定具を使うと壁に大きな傷を作るのでそれが嫌われるためである。そのため従来は石膏ボード壁に大きな傷を作らないピンやステープル等の細い針を利用することが多い。その場合細い針で直接目的物を取付けようとするので細い針を使う地点や使える本数について大きな制約を受ける。そのため細い針を打ち込む作業を容易にすることや固定の強度を増強することは困難であった。
【考案が解決しようとする課題】
【０００３】  本考案の課題は、目的物を内装材に取り付けるときに内装材に大きな傷を作ることなく、ピンやステープル等の細い針を打ち込む作業を容易にし、取り付け強度を増強する物品を提供するところにある。
【考案が解決するための手段】
【０００４】  本考案は上記の課題に対して細い針で直接目的物を内装材に取り付けるのではなく内装材と目的物の間に媒介材を介在させることによって解決する。内装材と媒介材である本考案とをまず固定し、内装材に固定された本考案に目的物を固定することによって目的物を内装材に間接的に取り付ける。
本考案は細い針を使用する専用の部材と強力な固定具を使用する専用の部材によって構成され、この２つの部材を結着固定したのが本考案である。細い針を使用する専用の部材とは２本以上のテープまたは１枚のシートよりなりそこにピンやステープル等の細い針を打ち込んで内装材に固定するための部材１である。強力な固定具を使用する専用の部材とは木質材よりなりそこにネジクギや接着剤等の強力な固定具を使って目的物を固定するための部材２である。部材１は細い針を容易に打ち込むことができる薄く強度のある材質よりなり、一例としてポリプロピレンのテープがある。ＰＰバンドとして知られるこのテープは１ミリに満たない薄さで強度があり細い針で容易に貫通することができる。シートは複数のテープが幅方向に隙間なく連なったテープの変形物であり、２本以上のテープを使うのと同じ効果が得られる同等物と見なすことができるのでここではテープについてのみ説明する。部材２の木質材は木質の角材ないし板材である。木質であるのでネジクギや接着剤などの強力な固定具を使って目的物を容易に固定できる。ここで目的物とは本来内装材に直接取り付けて利用するための物品であり例えばフックや置き台、付け長押、付け柱等々である。
部材１と部材２を結着固定するには２本のテープを木質材の長さ方向に対して直角に十字を切るように木質材の１面に間隔を開けて配置する。そしてテープと木質材が交差する箇所をテープの上から木質材に向かってタッカー針等を打ち込む。交差する箇所を接着剤で結着する方法もある。また複数の手段を併用することもできる。テープと木質材を結着固定した結着材は、部材１を細い針を使って内装材に固定することにより内装材に固定される。
使い方は、結着材の部材１であるテープの全長が設置箇所である石膏ボード壁等に密着させ、テープの適当な箇所をテープの上から壁等に向かって細い針を打ち込んで結着材を壁に固定する。次に目的物を結着材の部材２に密着させ強力な固定具を使って目的物と部材２を固定する。テープの長さは自由に調整できるのでテープを長くすれば細い針の打ち込み作業は容易となり、打ち込む針の数も増やせるから固定の強度を増強することができる。目的物を取り付けた状態でテープを隠したい場合はそれに適した長さにあらかじめ調整できる。
このような構造の本考案には次のような特徴がある。
▲１▼テープの長さを調整して細い針の打ち込み作業を容易にすることができる。
▲２▼テープの長さを調整して打ち込み地点の数を増やして内装材への固定強度を増強できる。
▲３▼目的物を取り付けた状態で部材１または部材１および部材２を隠すことができる。
▲４▼部材１と部材２が結着固定した結着材の上部の地点に目的物の荷重がかかるようにかつその地点より下に結着材の下部が壁に接触するように目的物を結着材に固定することにより耐荷重を増強できる。結着材にかかる重みは結着材を前方に回転する力を生み出す。荷重を受け止める地点と結着材の全部が壁に対してほぼ水平に並ぶ場合、この回転力に抗するのは細い針の壁への固定強度しかない。１方荷重を受け止める地点の下方で結着材が壁と接触していれば結着材の上部が前方に回転しようとするとき、結着材の下部は壁に押し付けられ回転を制止する力になる。そのためが結着材を回転させるにはより大きな力が必要になるので耐荷重は増強される。
▲５▼本考案を媒介材にしてネジクギ接着剤等の強力な固定具を使って目的物を内装材に固定できるので多種類の目的物の取り付けに利用できる。
【考案の効果】
【０００５】このように内装材に目的物を取り付けるときに本考案を媒介材として利用すれば内装材に大きな傷を作ることなく、細い針の打ち込み作業を容易にし、内装材への固定強度を増強し、目的物を取り付けた状態で本考案を隠すことができ、多種類の目的物の取り付けに利用できる。
【図面の簡単な説明】
【０００６】
【図１】  本考案の正面図である。
【図２】  本考案の背面図である。
【図３】  本考案の左側面図である。
【図４】  本考案の平面図である。
【図５】  実施例１の正面図である。
【図６】  実施例１の背面図である。
【図７】  実施例１の平面図である。
【図８】  実施例２の正面図である。
【図９】  実施例２の背面図である。
【図１０】  実施例２の左側面図である。
【図１１】  実施例２の平面図である。
【考案を実施するための形態】
【０００７】  本考案は細い針で直接目的物を内装材に取り付けるのではなく内装材と目的物の間に媒介材である本考案を介在させることによって課題を解決する。内装材と本考案とをまず固定し、固定された本考案に目的物を固定することによって目的物を内装材に間接的に取り付ける。
【実施例１】
【０００８】本考案の実施例について図面を参照しながら説明する。
実施例１は石膏ボード壁に大きなキズをつけないで目的物である付け長押を取り付ける場合の実施例である。
２本のテープよりなる部材１と１本の木質の角材よりなる部材２が結着固定した結着材２個に目的物である付け長押用の１個の木板３を固定する。
まず木板の方向に対し直角になるように結着材２個を適当な間隔を開けて木板にネジ等で固定する。このとき角材の片側端部は木板からはみ出さないようにし、もう片側端部は木板の外側に伸び出すように配置する。結着材に木板をネジ留めした連結材を伸びだした角材が下になるように、そして結着材が壁面に接触するように壁面に押し当てる。その位置を再現できるように角材の端部の位置を付箋等により壁にマークする。マークしたら一旦連結材を壁から離す。そして木板と結着材とを固定しているネジを緩め木板と結着材を分離する。次にマークに合わせて結着材を再び壁面に押し当て露出しているテープの適当な地点に細い針を打ってテープを固定し結着材を壁に固定する。最後に木板を結着材の角材にネジ留めして元の連結材を復元する。以上により目的物である木板は壁に固定され付け長押として利用できる。
【実施例２】
【０００９】実施例２は石膏ボード壁に大きなキズをつけないで付け柱を取り付ける場合の実施例である。
本実施例は目的物である付け柱を本考案に固定する場合で２本のテープよりなる部材１と１本の木質の角材よりなる部材２が結着固定した結着材１個に目的物である付け柱用の１個の木板を固定する。
まず結着材１個を設置したい壁面に押し当てる。そして露出しているテープの適当な地点に細い針を打ってテープを固定し結着材を壁に固定する。次に木板を結着材に被せるようにして密着させ木板と結着材の角材とをネジ留めする。以上により目的物である木板は壁に固定され付け柱として利用できる。
【産業上の利用可能性】
【００１０】  内装材に大きな傷を作ることなく、細い針の打ち込み作業を容易にし、内装材への固定強度を調整でき、目的物を取り付けた状態で使用した固定具を隠すことができ、多種類の目的物を内装材に取り付けることができる物品を必要とする用途に利用できる。
【符号の説明】
【００１０】１            部材１のテープ（またはシート）
２            部材２の木質材
３            目的物
４            タッカーの針
【図１】
0003197591.tif 000003
【図２】
0003197591.tif 000004
【図３】
0003197591.tif 000005
【図４】
0003197591.tif 000006
【図５】
0003197591.tif 000007
【図６】
0003197591.tif 000008
【図７】
0003197591.tif 000009
【図８】
0003197591.tif 000010
【図９】
0003197591.tif 000011
【図１０】
0003197591.tif 000012
【図１１】
0003197591.tif 000013